(57)【要約】      （修正有）【課題】吊下体を外容器本体内に入れることができ、運搬中に、吊下体が損傷することを防止できる包装用容器を提供する。【解決手段】包装用容器Ｘは、外容器１、外容器に収納される内容器２１及び吊下体５１を備える。吊下体５１は、外容器本体２の上端出入口９側又は下端出入口１０側に移動自在にされる。吊下体５１は、上端出入口９側への移動に伴って、収納初期位置Ｐ１から吊下位置に、又は下端出入口１０側への移動に伴って、収納初期位置Ｐ１から板収納位置に配置される。収納初期位置Ｐ１では、吊下板５３の上板端側５３Ａが外容器本体２の外側に突出する。吊下位置では、吊下板の吊下穴６０が外容器本体の外側に位置する。板収納位置では、吊下板の上板端側が外容器本体内に収納される。【選択図】図１
0003206255.tif 000002
【実用新案登録請求の範囲】
【請求項１】
透明表面板、透明裏面板及び一対の透明側面板から直方筒状体に形成された外容器本体、前記透明裏面板との間に出入隙間を隔てて前記外容器本体の上端出入口を閉じ、及び前記上端出入口を開く上蓋板、前記外容器本体の下端出入口を開閉する下蓋板を有してなる外容器と、
商品収納穴を有する略長方形の内面板、前記内面板の板端に沿って配置された案内枠板、前記商品収納穴の穴縁に沿って配置されて前記案内枠板との間に環状の案内凹溝を形成する商品収納凹部を有してなる内容器と、
長方形の吊下台板、前記吊下台板の上板端に連続して形成されて前記出入隙間を挿通自在な吊下板、前記吊下台板の左右板端の夫々に沿って配置されて前記吊下台板に直交する一対のガイド側板、可撓性を有して前記各ガイド側板の上板端に片持ち支持された一対の上側舌片板、可撓性を有して前記各ガイド側板の下板端に片持ち支持された一対の下側舌片板、前記吊下板に形成された吊下穴を有してなる吊下体と、を備え、
前記案内枠板は、
前記内面板の上板端に沿って配置された上端案内側板と、前記内面板の下板端に沿って配置された下端案内側板と、前記内面板の左右板端の夫々に沿って配置された左端案内側板及び右端案内側板と、を有し、
前記内容器は、
前記商品収納穴を前記透明表面板に向け、前記上端案内側板を前記上端出入口に向け、及び前記下端案内側板を前記下端出入口に向けて、前記外容器本体内に出入自在に収納され、
前記吊下体は、
前記吊下板及び前記各上側舌片板を前記上端出入口に向け、及び前記吊下台板、前記吊下板を前記外容器本体内の前記内容器及び前記透明裏面板間に位置して、前記外容器本体内に収納され、
前記外容器本体内において、前記各ガイド側板及び前記各舌片板を前記左右端案内側板の夫々に並設し、及び前記案内凹溝内に挿入して、前記上端出入口側又は前記下端出入口側に移動自在にされ、
前記各蓋板で前記各出入口を閉じた前記外容器本体内において、前記吊下板の上板端側を前記出入口隙間から前記外容器本体の外側に突出し、及び前記各下側舌片板を前記下端案内側板に摺接自在に当接する収納初期位置に配置され、
前記収納初期位置に配置された前記吊下体は、
前記上端出入口側への移動に伴って、前記吊下穴及び前記吊下板を前記出入隙間から前記外容器本体の外側に出し、及び前記各上側舌片板を前記上端案内側板に摺接する吊下位置に配置され、
前記下端出入口側への移動に伴って、前記各下側舌片板を前記下端案内側板に摺接して、前記吊下板の上板端側を前記出入隙間から前記外容器本体内に入れる板収納位置に配置される
ことを特徴とする包装用容器。
【請求項２】
前記上端案内側板、及び前記下端案内側板は、
前記内容器の外側に凹んで湾曲する左右板端側の湾曲側板部を有し、
前記吊下体は、
前記収納初期位置において、前記各下側舌片板を前記下端案内側板の前記各湾曲側板部に摺接自在に当接し、
前記吊下位置において、前記各上側舌片板を前記上端案内側板の前記各湾曲側板部に摺接する
ことを特徴とする請求項１に記載の包装用容器。
【請求項３】
前記外容器は、
前記透明裏面板に形成され、前記外容器本体の内外側に開口する押出用補助穴を有し、
前記押出用補助穴は、
前記吊下体の前記収納初期位置において、前記外容器本体内の前記吊下台板に対向する位置に形成され、及び前記上端出入口及び前記下端出入口間に延在して形成される
ことを特徴とする請求項１又は請求項２に記載の包装用容器。
【考案の詳細な説明】
【技術分野】
【０００１】
本考案は、携帯端末用カバー等の商品を内部に収納して、商品を吊下げ陳列する包装用容器に関する。
【背景技術】
【０００２】
商品を吊下状態で陳列する包装用容器として、特許文献１は、キャラメル箱型容器と台紙を備える包装用容器を開示する。特許文献１では、商品（物品）をキャラメル箱型容器内に収納する。商品を収納した包装用容器は、台紙の吊下用穴を吊下フック等に掛けて商品を陳列する。
【先行技術文献】
【特許文献】
【０００３】
【特許文献１】特開２０１５−１２７２３４号公報
【考案の概要】
【考案が解決しようとする課題】
【０００４】
特許文献１では、商品をキャラメル箱型容器の内部に収納して運搬（搬送）すると、運搬中（搬送中）に、台紙が折れる等、損傷する恐れがある。
【０００５】
本考案は、吊下体を外容器本体内に入れることができ、運搬中（搬送中）に、吊下体が損傷することを防止できる包装用容器を提供することにある。
【課題を解決するための手段】
【０００６】
本考案に係る請求項１は、透明表面板、透明裏面板及び一対の透明側面板から直方筒状体に形成された外筒本体、前記透明裏面板との間に出入隙間を隔てて前記外容器本体の上端出入口を閉じ、及び前記上端出入口を開く上蓋板、前記外容器本体の下端出入口を開閉する下蓋板を有してなる外容器と、商品収納穴を有する略長方形の内面板、前記内面板の板端に沿って配置された案内枠板、前記商品収納穴の穴縁に沿って配置されて前記案内枠板との間に環状の案内凹溝を形成する商品収納凹部を有してなる内容器と、長方形の吊下台板、前記吊下台板の上板端に連続して形成されて前記出入隙間を挿通自在な吊下板、前記吊下台板の左右板端の夫々に沿って配置されて前記吊下台板に直交する一対のガイド側板、可撓性を有して前記各ガイド側板の上板端に片持ち支持された一対の上側舌片板、可撓性を有して前記各ガイド側板の下板端に片持ち支持された一対の下側舌片板、前記吊下板に形成された吊下穴を有してなる吊下体と、を備え、前記案内枠板は、前記内面板の上板端に沿って配置された上端案内側板と、前記内面板の板下端に沿って配置された下端案内側板と、前記内面板の左右板端の夫々に沿って配置された左端案内側板及び右端案内側板と、を有し、前記内容器は、前記商品収納穴を前記透明表面板に向け、前記上端案内側板を前記上端出入口に向け、及び前記下端案内側板を前記下端出入口に向けて、前記外容器本体内に出入自在に収納され、前記吊下体は、前記吊下板及び前記各上側舌片板を前記上端出入口に向け、及び前記吊下台板、前記吊下板を前記外容器本体内の前記内容器及び前記透明裏面板間に位置して、前記外容器本体内に収納され、前記外容器本体内において、前記各ガイド側板及び前記各舌片板を前記左右端案内側板の夫々に並設し、及び前記案内凹溝内に挿入して、前記上端出入口側又は前記下端出入口側に移動自在にされ、前記各蓋板で前記各出入口を閉じた前記外容器本体内において、前記吊下板の板上端側を前記出入隙間から前記外容器本体の外側に突出し、及び前記各下側舌片板を前記下端案内側板に摺接自在に当接する収納初期位置に配置され、前記収納初期位置に配置された前記吊下体は、前記上端出入口側への移動に伴って、前記吊下穴及び前記吊下板を前記出入隙間から前記外容器本体の外側に出し、及び前記各上側舌片板を前記上端案内側板に摺接する吊下位置にされ、前記下端出入口側への移動に伴って、前記各下側舌片板を前記下端案内側板に摺接して、前記吊下板の上板端側を前記出入隙間から前記外容器本体内に入れる板収納位置に配置されることを特徴とする包装用容器である。
請求項１では、吊下体の収納初期位置において、各下側舌片板は、上下方向の下側板高長を外容器本体の外側に突出した吊下板の上板端側の板突出量より長くする構成も採用できる。また、請求項１では、吊下体の収納初期位置において、各上側舌片板の上板端及び上端案内側板間の上下方向の板間高長は、吊下板の上板端及び各上側舌片板の上板端間の板端高長さより長くする構成も採用できる。更に、請求項１では、各上側舌片板の上板端及び吊下板の上板端間の吊下板に形成された吊下穴を有する構成も採用できる。
【０００７】
本考案に係る請求項２は、前記上端案内側板、及び前記下端案内側板は、前記内容器の外側に凹んで湾曲する左右板端側の湾曲側板部を有し、前記吊下体は、前記収納初期位置において、前記各下側舌片板を前記下端案内側板の前記各湾曲側板部に摺接自在に当接し、前記吊下位置において、前記各上側舌片板を前記上端案内側板の前記各湾曲側板に摺接することを特徴とする請求項１に記載の包装用容器である。
【０００８】
本考案に係る請求項３は、前記外容器は、前記透明裏面板に形成され、前記外容器本体の内外側に開口する押出用補助穴を有し、前記押出用補助穴は、前記吊下体の前記収納初期位置において、前記外容器本体内の前記吊下台板に対向する位置に形成され、及び前記上端出入口及び前記下端出入口間に延在されることを特徴とする請求項１又は請求項２に記載の包装用容器である。
【考案の効果】
【０００９】
本考案に係る請求項１によれば、吊下体は、外容器（外容器本体）及び内容器に対して上端出入口側又は下端出入口側に移動自在にされているので、下端出入口側への移動に伴って、収納初期位置から板収納位置に配置される。吊下体の板収納位置では、吊下板の上板端側（吊下体の全体）を外容器本体内に入れて収納でき、運搬中（搬送中）に、吊下体（吊下板）が折れる等、損傷することを防止できる。各下側舌片板は、吊下体の下端出口側への移動に伴って、下端案内側板に摺接し、下端案内側板に沿って湾曲変形する。これにより、外容器本体の外側に突出した吊下板の上板端側は、各下側舌片板の湾曲変形に伴って、外容器本体内に入れられ収納される。
請求項１によれば、吊下体は、上端出入口側への移動に伴って、収納初期位置から吊下位置に配置される。これにより、吊下体の吊下位置では、吊下穴を外容器本体の外側に位置でき、上端案内側板に摺接する各上側舌片板によって、外容器本体内の内容器及び外容器本体を吊下状態で支持（保持）でき、吊下穴を吊下フック等に掛けることで、内容器の商品収納凹部に収納した商品を吊下げ陳列できる。各上側舌片板は、吊下体の上端出入口側への移動に伴って、上端案内側板に摺接し、上端案内側板に沿って湾曲変形する。これにより、吊下板は、各上側舌片板の湾曲変形に伴って、吊下穴を外容器本体の外側に配置するまで、外容器本体の外側に出される。
請求項１によれば、外容器本体を透明表面板、透明裏面板及び各透明側面板から透明な直方筒状体に形成し、内容器は、商品収納穴を透明表面板に向けて外容器本体内に収納する。これにより、内容器の商品収納凹部に商品を収納しても、商品は、吊下体で遮られることなく、透明表面板を通して見ることができる。
【００１０】
本考案に係る請求項２によれば、吊下体の下端出入口側への移動に伴って、各下側舌片板は、各下側舌片板の下端板を右端案内側板又は左端案内側板（内容器の左右方向の中心側）に向けつつ、下端案内側板の各湾曲側板部に沿って弾性変形できる。また、吊下体の上端出入口側への移動に伴って、各上側舌片板は、各上側舌片板の上板端を右端案内側板又は左端案内側板（内容器の左右方向の中心側）に向けつつ、上端案内側板の各湾曲側板部に沿って湾曲変形できる。
【００１１】
本考案に係る請求項３によれば、押出用補助穴から外容器本体内の吊下台板を上端出入口側に押出すことで、吊下体を出入隙間から外容器本体の外側に出すことができる。
【図面の簡単な説明】
【００１２】
【図１】包装用容器を示す図であって、吊下体を収納初期位置に配置した斜視図である。
【図２】包装用容器を示す図であって、吊下体を収納初期位置に配置した正面図である。
【図３】包装用容器を示す図であって、吊下体を収納初期位置に配置した背面図である。
【図４】包装用容器を示す図であって、吊下体を収納初期位置に配置した平面図である。
【図５】包装用容器を示す図であって、吊下体を収納初期位置に配置した底面図である。
【図６】包装用容器を示す図であって、吊下体を収納初期位置に配置した右側面図である。
【図７】（ａ）は、図２のＡ−Ａ断面図、（ｂ）は図７（ａ）の要部拡大断面図である。
【図８】図２のＢ−Ｂ断面図である。
【図９】（ａ）は図２のＣ−Ｃ断面図、（ｂ）は図２のＤ−Ｄ断面図である。
【図１０】図６のＥ−Ｅ断面図である。
【図１１】図１０の上側要部拡大断面図である。
【図１２】図１０の下側要部拡大断面図である。
【図１３】外容器（外容器本体、上蓋板、下蓋板）を示す斜視図である。
【図１４】外容器を示す図であって、上端出入口及び下端出入口を開いた右側面図である。
【図１５】内容器を示す斜視図である。
【図１６】内容器を示す背面図である。
【図１７】吊下体を示す斜視図である。
【図１８】吊下体を示す正面図である。
【図１９】吊下体を示す右側面図である。
【図２０】内容器及び吊下体の組合体を示す背面図である。
【図２１】内容器及び吊下体の組合体を示す右側面図である。
【図２２】図２１のＦ−Ｆ断面図である。
【図２３】包装用容器を示す図であって、吊下体を吊下位置に配置した斜視図である。
【図２４】包装用容器を示す図であって、吊下体を吊下位置に配置した背面図である。
【図２５】包装用容器を示す図であって、吊下体を吊下位置に配置した右側面図である。
【図２６】図２５のＧ−Ｇ断面図である。
【図２７】包装用容器を示す図であって、吊下体を板収納位置に配置した斜視図である。
【図２８】包装用容器を示す図であって、吊下体を板収納位置に配置した背面図である。
【図２９】包装用容器を示す図であって、吊下体を板収納位置に配置した右側面図である。
【図３０】図２９のＨ−Ｈ断面図である。
【図３１】商品（携帯端末用カバー）を収納した包装用容器を示す斜視図である。
【考案を実施するための形態】
【００１３】
本考案に係る包装用容器について、図１乃至図３１を参照して説明する。
【００１４】
図１乃至図３１において、包装用容器Ｘは、外容器１、内容器２１、及び吊下体５１を備える。
【００１５】
＜外容器１＞
外容器１は、図１乃至図１４に示すように、外容器本体２、上蓋板３、下蓋板４及び複数の蓋支持板１３を有してなる。
【００１６】
外容器本体２は、例えば、透明な合成樹脂シート（プラスチックシート等）で形成される。
外容器本体２は、図１乃至図１４に示すように、透明表面板５、透明裏面板６及び一対の透明側面板７，８（透明左側面板７、透明右側面板８）で構成される。
外容器本体２は、透明表面板５、透明裏面板６及び一対の透明側面板７，８から直方筒状体（角筒状体）に形成される。
外容器本体２は、上端出入口９（上端開口）、及び下端出入口１０（下端開口）を有する。上端出入口９は、外容器本体２（外容器１）の上下方向ＵＤにおいて、各板５〜８の上板端で開口する。下端出入口１０は、外容器本体２（外容器１）の上下方向ＵＤにおいて、各板５〜８の下板端で開口する。
【００１７】
上蓋板３は、図１乃至図１４に示すように、上端出入口９を開閉する。上蓋板３は、外容器本体２の透明裏面板６との間に出入隙間Ｔを隔てて上端出入口９を閉じる。
上端板３は、例えば、透明な合成樹脂シート（プラスチックシート等）で形成される。上端蓋板３は、外容器本体２（外容器１）の上下方向ＵＤにおいて、透明表面板５の上板端５Ａに連結され、透明表面板５の上板端５Ａに沿って配置される。
上蓋板３は、ヒンジ部１１を介して透明表面板５の上板端５Ａに一体的に連結される。
上蓋板３は、図１４に示すように、例えば、蓋鍔板部３Ａを有し、上端出入口９を閉じる際に、蓋鍔板部３Ａを透明裏面板６に対向して外容器本体２内に挿入する。これにより、上蓋板３は、図４、図６、図７及び図９に示すように、蓋鍔板部３Ａ及び透明裏面板６間に出入隙間Ｔを形成する。
【００１８】
下蓋板４は、図１乃至図１４に示すように、下端出入口１０を開閉する。
下蓋板４は、例えば、透明な合成樹脂シート（プラスチックシート等）で形成される。下蓋板４は、外容器本体２（外容器１）の上下方向ＵＤにおいて、透明表面板５の下板端５Ｂに連結され、透明表面板５の下板端５Ｂに沿って配置される。
下蓋板４は、ヒンジ部１２を介して透明表面板５の下板端５Ｂに一体的に連結される。
下蓋板４は、図１４に示すように、例えば、蓋鍔板部４Ａを有し、下端出入口１０を閉じる際に、蓋鍔板部４Ａを透明裏面板６に当接して外容器本体２内に挿入する（図１、図５乃至図７、及び図９参照）。
【００１９】
各蓋支持板１３は、図１乃至図１２、及び図１４に示すように、外容器本体２（外容器１）の上下方向ＵＤにおいて、各透明側板７，８の上下板端にヒンジ（図示しない）を介して連結される。各蓋支持板１３は、各出入口９，１０を各蓋板３，４で閉じる際に、外容器本体２内に挿入される。
これにより、各蓋支持板１３は、各出入口９，１０を閉じた各蓋板３，４を外容器本体２内から支持する。
【００２０】
外容器１は、例えば、透明な合成樹脂シート（プラスチックシート等）から外容器本体２、上蓋板３、下蓋板４及び各蓋支持板１３を一体形成する。
【００２１】
外容器本体２（外容器１）は、図１０及び図１３に示すように、外容器本体２（外容器１）の上下方向ＵＤの高さ寸法を外容器高長Ｌ１とする。
外容器高長Ｌ１は、各蓋板３，４で各出入口９，１０を閉じた状態において、上蓋板３及び下蓋板４間の高さ寸法である。
【００２２】
＜内容器２１＞
内容器２１は、図１乃至図１２、図１５及び図１６に示すように、内面板２２、案内枠板２３及び商品収納凹部２４を有してなる。
【００２３】
内面板２２は、図１乃至図１２、図１５及び図１６に示すように、略長方形に形成される。内面板２２は、商品収納穴２５を有する。
【００２４】
案内枠板２３は、図１乃至図１２、図１５及び図１６に示すように、内面板２２の板端（略長方形縁）に沿って配置される。
案内枠板２３は、内容器２１（内面板２２）の前後方向ＦＲにおいて、内面板２２に直交（又は交差）して延出される。
これにより、案内枠板２３は、内面板２２の板端に沿った略長方形に形成される。
【００２５】
案内板枠２３は、上端案内側板２６、下端案内側板２７、左端案内側板２８及び右端案内側板２９を有する。
上端案内側板２６は、図１５に示すように、内容器２１（内面板２２）の上下方向ＵＤにおいて、内面板２２の上板端２２Ａに連結される。上端案内側板２６は、内面板２２の上板端２２Ａに沿って配置される。内容器２１（内面板２２）の上下方向ＵＤは、内容器２１（内面板２２）の前後方向ＦＲに直交する方向である。
下端案内側板２７は、図１５に示すように、内容器２１（内面板２２）の上下方向ＵＤにおいて、内面板２２の下板端２２Ｂに連結される。下端案内側板２７は、内面板２２の下板端２２Ｂに沿って配置される。
左端案内側板２８は、図１５に示すように、内容器２１（内面板２２）の左右方向ＬＲにおいて、内面板２２の左板端２２Ｃに連結される。左端案内側板２８は、内面板２２の左板端２２Ｃに沿って配置される。内容器２１（内面板２２）の左右方向ＬＲは、内容器２１（内面板２２）の前後方向ＦＲ及び上下方向ＵＤに直交する方向である。
右端案内側板２９は、図１５に示すように、内容器２１（内面板２２）の左右方向ＬＲにおいて、内面板２２の右板端２２Ｄに連結される。右端案内側板２９は、内面板２２の右板端２２Ｄに沿って配置される。
案内枠板２３において、各案内側板２６〜２９は、図１、図４、図９及び図１５に示すように、内面板２２の板端（略長方形縁）から内容器２１（内面板２２）の前後方向ＦＲに延出される。
【００２６】
上端案内側板２６は、図３、図１０、図１１、図１５及び図１６に示すように、左右板端側の湾曲側板部３０，３１（一対の湾曲側板部）を有する。
各湾曲側板部３０，３１は、内容器２１（内面板２２）の左右方向ＬＲにおいて、上端案内側板２６の左右板端側の夫々に形成される。各湾曲側板３０，３１は、内容器２１（内面板２２）の外側に凹んで湾曲する。
各湾曲側板部３０，３１は、内容器２１（内面板２２）の上下方向ＵＤにおいて、左右端案内側板２８，２９の上板端の夫々に連続する。
【００２７】
下端案内側板２７は、図３、図１０、図１２、図１５及び図１６に示すように、左右板端側の湾曲側板部３２，３３（一対の湾曲側板部）を有する。
各湾曲側板部３２，３３は、内容器２１（内面板２２）の左右方向ＬＲにおいて、下端案内側板２７の左右板端側の夫々に形成される。各湾曲側板部３２，３３は、内容器２１（内面板２２）の外側に凹んで湾曲する。
各湾曲側板部３２，３３は、内容器２１（内面板２２）の上下方向ＵＤにおいて、左右端案内側板２８，２９の下板端の夫々に連続する。
【００２８】
商品収納凹部２４は、図１、図２、図１０及び図１５に示すように、内面板２１の商品収納穴２５の穴縁に沿って配置される。
商品収納凹部２４は、案内枠板２３（各案内側板２６〜２９）との間に環状のガイド凹溝３４を形成する。
商品収納凹部２４は、図１、図３、図７乃至図１２、及び図１６に示すように、収納枠板３５及び収納底板３６で構成される。収納枠板３５は、商品収納穴２５の穴縁に沿って配置され、内面板２２に連結される。収納枠板３５は、内容器２１（内面板２２）の前後方向ＦＲにおいて、案内枠板２３（各案内側板２６〜２９）と同方向に延出され、案内枠板（各案内側板２６〜２９）との間に案内凹溝３４を形成する。
収納底板３６は、内容器２１（内面板２２）の前後方向ＦＲにおいて、収納板枠３５の板端に配置される。収納底板３６は、商品収納穴２５に対向する商品枠板３５の開口を閉塞して、収納枠板３５に連結される。
【００２９】
内容器２１は、例えば、透明な合成樹脂シート（プラスチックシート等）から内面板２２、案内枠板２３（各案内側板２６〜２９）、及び商品収納凹部２４（収納枠板３５、収納底板３６）を一体形成する。
【００３０】
内容器２１（内面板２２）は、図１０及び図１６に示すように、内容器２１の上下方向ＵＤの高さ寸法を内容器高長Ｌ２とする。内容器高長Ｌ２は、上端案内側板２６及び下端案内側板２７間の高さ寸法である。
内容器高長Ｌ２は、外容器高長Ｌ１より短くされている（内容器高長Ｌ２＜外容器高長Ｌ１）。
【００３１】
＜吊下体５１＞
吊下体５１は、図１乃至図１２、及び図１７乃至図１９に示すように、吊下台板５２、吊下板５３、一対のガイド側板５４，５５、一対の上側舌片板５６，５７、一対の下側舌片板５８，５９及び吊下穴６０を有してなる。
【００３２】
吊下台板５２は、図３、図６乃至図１２、及び図１７乃至図１９に示すように、長方形に形成される。
【００３３】
吊下板５３は、図１乃至図４、図９乃至図１１、及び図１７乃至図１９に示すように、長方形に形成され、吊下体５１（吊下台板５１）の上下方向ＵＤにおいて、吊下台板５２の上板端５２Ａに連続して形成される。
吊下板５３は、吊下体（吊下台板５２）の上下方向ＵＤに延在され、出入隙間Ｔを挿通自在である。
【００３４】
各ガイド側板５４，５５（左端・ガイド側板５４、右端・ガイド側板５５）は、図６乃至図１２、及び図１７乃至図１９に示すように、吊下体５１（吊下台板５２）の左右方向ＬＲにおいて、吊下台板５２の左右板端５２Ｃ，５２Ｄの夫々に連結される。各ガイド側板５４，５５は、吊下台板５３の左右板端５２Ｃ，５２Ｄの夫々に沿って配置され、吊下体（吊下台板５２）の上下方向ＵＤに延在される。各ガイド側板５４，５５は、吊下体５１（吊下台板５２）の前後方向ＦＲにおいて、吊下台板５２に直交して左右板端５２Ｃ，５２Ｄから延出される。
吊下体（吊下台板５２）の左右方向ＬＲは、吊下体５１（吊下台板５２）の上下方向ＵＤに直交する方向である。吊下体５１（吊下台板５２）の前後方向ＦＲは、吊下板５１（吊下台板５２）の上下方向ＵＤ及び左右方向ＬＲに直交する方向である。
【００３５】
一対の上側舌片板５６，５７（左端・上側舌片板５６、右端・上側舌片板５７）は、図３、図９乃至図１１、及び図１７乃至図１９に示すように、吊下体５１（吊下台板５２）の上下方向ＵＤにおいて、各ガイド側板５４，５５の上板端５４Ａ，５５Ａの夫々に連続して配置される。
各上側舌片板５６，５７は、可撓性を有し、各ガイド側板５４，５５の上板端５４Ａ，５５Ａに片持ち支持される。
各上側舌片板５６，５７は、吊下体５１（吊下台板５２）の上下方向ＵＤにおいて、各ガイド側板５４，５５の上板端５４Ａ，５５Ａから吊下板５３側に延在される。
これにより、各上側舌片板５６，５７は、各ガイド板５４，５５の各上板端５４Ａ，５５Ａを基点（支点）として、吊下体５１の左右方向ＬＲに変形自在（旋回自在）である。
【００３６】
一対の下側舌片板５８，５９（左端・下側舌片板５８、右端・下側舌片板５９）は、図３、図９乃至図１０、図１２、及び図１７乃至図１９に示すように、吊下体５１（吊下台板５２）の上下方向ＵＤにおいて、各ガイド側板５４，５５の下板端５４Ｂ，５５Ｂの夫々に連続して配置される。
各下側舌片板５８，５９は、可撓性を有し、各ガイド側板５４，５５の下板端５４Ｂ，５５Ｂに片持ち支持される。
各下側舌片板５８，５９は、吊下体５１（吊下台板５２）の上下方向ＵＤにおいて、各ガイド側板５４，５５の下板端５４Ｂ，５５Ｂから延在される。各下側舌片板５８，５９は、吊下板５１（吊下台板５２）の上下方向ＵＤにおいて、吊下台板５２の下板端５２Ｂより下方側に延在される。
これにより、各下側舌片板５８，５９は、各ガイド側板５４，５５の下板端５４Ｂ，５５Ｂを基点（支点）として、吊下体５１の左右方向ＬＲに変形自在（旋回自在）である。
【００３７】
吊下穴６０は、図１乃至図３、図７、図１０、図１７及び図１８に示すように、吊下板５３に形成される。吊下穴６０は、吊下体５１の上下方向ＵＤにおいて、各上側舌片板５６，５７の上板端５６Ａ，５７Ａ及び吊下板５３の上板端５３ａ間に形成される。
吊下穴６０は、吊下板５３を貫通する。
【００３８】
吊下体５１は、例えば、透明な合成樹脂シート（プラスチックシート等）から吊下台板５２、吊下板５３、各ガイド側板５４，５５、各上側舌片板５６，５７、各下側舌片板５８，５９及び吊下穴６０を一体形成する。
【００３９】
吊下体５１は、図１０及び図１８に示すように、吊下体５１の上下方向ＵＤの高さ寸法を吊下体高長Ｌ３とする。吊下体高板Ｌ３は、各下側舌片板５８，５９の下板端５８Ｂ，５９Ｂ、及び吊下体５の上板端５３ａ間の高さ寸法である。
吊下体高長Ｌ３は、外容器高長Ｌ１と同一、又は外容器高長Ｌ１より長くされている（吊下体高長Ｌ３≧外容器高長Ｌ１）。
【００４０】
包装用容器Ｘにおいて、吊下体５１は、図２０乃至図２２に示すように、内容器２１に組合わされる。
吊下体５１は、図２０乃至図２２に示すように、吊下板５３（上板端５３Ａ）及び各上側舌片板５６，５７を案内枠板２３の上端案内側板２５に向け、及び各下側舌片板５８，５９を案内枠板２３の下端案内側板２６に向けて内容器２１に組合わされる。
吊下体５１は、吊下台板５２及び吊下板５３を収納底板３６に対向して組合わされる。
吊下体５１は、図２０乃至図２２に示すように、ガイド側板５４及び各舌片板５６，５８（左端・上側舌片板５６、左端・下側舌片板５８）を左端案内側板２８に並設し、ガイド側板５５及び各舌片板５７，５９（右端・上側舌片板５７、右端・下側舌片板５８）を右端案内側板２９に並設して、内容器２１に組合わされる。
吊下体５１は、ガイド側板５４、各舌片板５６，５８を左端案内側板２８及び収納枠板３５間の案内凹溝３４に挿入（遊嵌）し、ガイド側板５５、各舌片板５７，５９を右端案内側板２９及び収納枠板３５間の案内凹溝３４内に挿入（遊嵌）して、内容器２１に組合わされる。
各ガイド側板５４，５５及び各舌片板５６〜５９は、内容器２１（内面板２２）の上下方向ＵＤにおいて、上端案内側板２６に間隔Ｓを隔てて案内凹部３４内に挿入される。
これにより、吊下体５１は、内容器２１に対して、内容器２１（内面板２２）の上下方向ＵＤに移動自在として内容器２１に組合わされる。
【００４１】
包装用容器Ｘにおいて、内容器２１及び吊下体５１を組合せた組合体Ｙ（以下、「組合体Ｙ」という）は、図１乃至図１２に示すように、外容器本体２内（外容器１内）に収納（挿入）される。
組合体Ｙ（内容器２１、吊下体５１）は、上端出入口９又は下端出入口１０から外容器本体２内（外容器１内）に収納（挿入）される。
【００４２】
組合体Ｙにおいて、内容器２１は、図１乃至図１２に示すように、商品収納穴２５を外容器本体２の透明表面板５に向け、案内枠板２３上端案内側板２６を外容器本体２の上端出入口９（上蓋板３）に向け、及び案内枠板２３の下端案内側板２７を外容器本体２の下端出入口１０（下蓋板４）に向けて、外容器本体２内に出入自在に収納される。
【００４３】
組合体Ｙにおいて、吊下体５１は、吊下板５３及び各上側舌片板５７，５８を外容器本体２の上端出入口９（上蓋板３）に向けて、外容器本体２内に出入自在に収納される。
組合体Ｙにおいて、吊下体５１は、吊下台板５２及び吊下板５３を外容器本体２内の内容器２１及び外容器本体２の透明裏面板６間に位置して、外容器本体２内に収納される。
組合体Ｙ（内容器２１、吊下体５１）を外容器本体２内に収納（挿入）すると、吊下板５３の上板端５３Ａ側は、外容器本体２の上端出入口９から外容器本体２の外側に突出する。
【００４４】
組合体Ｙ（内容器２１、吊下体５１）を外容器本体２内に収納すると、吊下体５１は、図９乃至図１２に示すように、外容器本体２内において、各ガイド側板５４，５５及び各舌片板５６〜５９を内容器２１の左右端案内側板５４，５５に並設し、及び上端案内側板２６に間隔Ｓを隔てて案内凹溝３４内に挿入（遊嵌）して、外容器本体２（外容器１）及び内容器２１に対して上端出入口３側又は下端入口４側に移動自在にされる。吊下台板５２及び吊下板５３は、図６、図７及び図９に示すように、外容器本体２内から透明裏面板６に摺接自在に当接される。
【００４５】
組合体Ｙ（内容器２１、吊下体５１）を外容器本体２内に収納し、及び各蓋板３，４で各出入口９，１０を閉じると、吊下体５１は、図１乃至図１２に示すように、各蓋板３，４で各出入口９，１０を閉じた外容器本体２内において、吊下板５３の上板端側５３Ａを出入隙間Ｔから外容器本体２の外側に突出し、及び各下側舌片板５８，５９を内容器２１の下端案内側板２７に摺接自在に当接する収納初期位置Ｐ１に配置される。
収納初期位置Ｐ１において、吊下板５３の上板端側５３Ａは、出入隙間Ｔの上蓋板３（蓋鍔板部３Ａ）及び透明裏面板６にて案内され、出入隙間Ｔから外容器本体２の外側に突出する。
収納初期位置Ｐ１において、各下側舌片板５８，５９の板下端５８Ｂ，５９Ｂは、下端内容側板２７の各湾曲側板部３２，３３に摺接自在に当接される。
収納初期位置Ｐ１において、各ガイド側板５４，５５は、図８及び図９に示すように、案内凹溝３４内の内面板２２に摺接自在に当接される。
【００４６】
吊下体５１の各下側舌片板５８，５９は、図１２及び図１９に示すように、吊下体５１の上下方向ＵＤの高さ寸法を下側板高長Ｌ４とする。下側板高長Ｌ４は、各ガイド側板５４，５５の下板端５４Ｂ，５５Ｂ及び各下側舌片板５８，５９の下板端５８Ａ，５９Ａ間の高さ寸法である。
下側板高長Ｌ４は、図１１に示すように、吊下体５１の収納初期位置Ｐ１において、外容器本体２の外側に突出する吊下板５３の上板端側５３Ａの板突出量Ｌ５より長くされる（下側板高長Ｌ４＞板突出量Ｌ５）。
板突出量Ｌ５は、吊下体５１の上下方向ＵＤにおいて、外容器本体２（外容器１）の外側に突出する上板端側５３Ａの高さ寸法である。
【００４７】
吊下体５１の収納初期位置Ｐ１において、各ガイド側板５４，５５の上板端５４Ａ，５５Ａ及び上端案内側板２６間の高さ寸法を板間高長Ｌ６とする（図１１参照）。
板間高寸法Ｌ６は、図１１に示すように、吊下体５１、内容器２１の上下方向ＵＤにおいて、各ガイド側板５４，５５の上板端５４Ａ，５５Ａ及び上端案内側板２６間の高さ寸法である。
吊下体５１の収納初期位置Ｐ１において、吊下板５３の板上端５３ａ及び各上側舌片板５６，５７の上板端５６Ａ，５７Ａ間の高さ寸法を板端高長Ｌ７とする（図１１参照）。
板端長Ｌ７は、図１１に示すように、吊下体５１の上下方向ＵＤにおいて、吊下板６３の上板端５３ａ及び格上側舌片板５６，５７の上板端５６Ａ，５７Ａ間の高さ寸法である。
吊下体５１の収納初期位置Ｐ１において、板間高長Ｌ６は、板端高長Ｌ７より長くされる（板間高長Ｌ６＞板端高長Ｌ７）。
【００４８】
次に、吊下体５１を収納初期位置Ｐ１から吊下位置Ｐ２（図２３乃至図２６参照）に配置し、及び吊下体５１を収納初期位置Ｐ１から板収納位置Ｐ３（図２７乃至図３０参照）に配置することについて説明する。
なお、説明の便宜上、内容器２１及び吊下体５１（組合体Ｙ）は、外容器本体２内（外容器１内）に収納され、内容器２１及び吊下体５１（組合体Ｙ）を収納した外容器本体２の各出入口９，１０は各蓋板３，４で閉じ、更に、吊下体１５は収納初期位置Ｐ１に配置されているものとする。また、各出入口９，１０を閉じた各蓋板３，４は、外容器本体２に固定される（図１乃至図１２参照）。
【００４９】
収納初期位置Ｐ１に配置された吊下体５１は、上端出入口９側（上蓋板３側）への移動に伴って、収納初期位置Ｐ１から吊下位置Ｐ２に配置される（図２３乃至図２６参照）。
収納初期位置Ｐ１に配置された吊下体５１は、外容器１（外容器本体２）のみを固定して、外容器本体２の外側に突出した吊下板５３の上板端側５３Ａを把持して上方向に引上げることで、外容器本体２（外容器１）及び内容器２１に対して上端出入口９側（上蓋板３側）に移動される。
【００５０】
収納初期位置Ｐ１に配置された吊下体５１は、上端出入口９側（上蓋板３側）への移動に伴って、吊下穴６０及び吊下板５３を出入隙間Ｔから外容器本体２の外側に出し（引出し）、各上側舌片板３０，３１を内容器２１の上端案内側板２６に摺接する吊下位置Ｐ２に配置される。吊下板５３は、吊下体５１の上端出入口９側への移動に伴って、出入隙間Ｔの上蓋材３（蓋鍔板部３Ａ）及び透明裏面板６にて案内されつつ、出入隙間Ｔから外容器本体２の外側に出される。
吊下位置Ｐ２において、各下側舌片板５８，５９は、下端案内側板２７（各湾曲側板部３２，３３）から離間される。
吊下位置Ｐ２において、各上側舌片板５６，５７は、上板端５６Ａ，５７Ａから上端案内側板２６（各湾曲側板部３０，３１）に摺接する。各上側舌片板５６，５７は、上板端５６Ａ，５７Ａを右端案内側板２９又は左端案内側板２８（内容器２１の左右方向ＬＲの中心側）に向けつつ、上側案内側板２６の各湾曲側板部３０，３１に沿って湾曲変形（弾性変形）され、内容器２１を支持（保持）する。
吊下位置Ｐ２において、内容器２１は、吊下体５１の上端出入口９側への移動に伴って、各蓋支持板１３に当接して、外容器本体２の上端出入口９を閉じた上蓋板９及び各蓋支持板１３を支持（保持）する。これにより、吊下体５１は、上端案内側板２６の摺接する各上側舌片板５６，５７によって、内容器２１及び外容器１（外容器本体２）を吊下状態で保持（支持）する。
吊下穴６０は、板間高長Ｌ６を板端高長Ｌ７より長くすることで、吊下体５１の吊下位置Ｐ２において、外容器本体２の外側に位置される。
【００５１】
吊下板５３の上板端側５３Ａの把持（引上げ）を解放（解除）すると、吊下位置Ｐ２に配置された吊下体６１は、湾曲変形した各上側舌片板５６，５７の復元力（付勢力／弾性力）により、外容器本体２の下端出入口１０側（下蓋板４側）に移動される。
【００５２】
収納初期位置Ｐ１に配置された吊下体５１は、下端出入口１０側（下蓋板４側）への移動に伴って、収納初期位置Ｐ１から板収納位置Ｐ３に配置される（図２７乃至図３０参照）。
収納初期位置Ｐ１に配置された吊下体５１は、外容器１（外容器本体２）のみを固定して、外容器本体２の外側に突出した吊下板５３の上板端側５３Ａを外容器本体２内（上蓋板３側）に押入れることで、外容器本体２（外容器１）及び内容器２１に対して下端出入口１０側に移動される。
【００５３】
収納初期位置Ｐ１に配置された吊下体５１は、下端出入口１０側（下蓋板４側）への移動に伴って、外容器本体２の外側に突出する吊下板５３の上板端側５３Ａ（吊下体５１の全体）を外容器本体２内に入れる板収納位置Ｐ３に配置される。吊下材５３の上板端側５３Ａは、吊下体５１の下端出入口１０側への移動に伴って、出入隙間Ｔの上蓋板３（蓋鍔板部３Ａ）及び透明裏面板６にて案内されつつ、出入隙間Ｔから外容器本体２内に入れられる。
板収納位置Ｐ３において、各上側舌片板５６，５７は、上端案内側板２６から離間され、各下側舌片板５８，５９は、下端案内側板２７を摺接する。各下側舌片板５８，５９は、下端案内側板２７の各湾曲側板部３２，３３を摺接して、下板端５８Ｂ，５９Ｂを右端案内側板２９又は左端案内側板２８（内容器２１の左右方向ＬＲの中心側）に向けつつ、各湾曲側板部３２，３３に沿って湾曲変形（弾性変形）される。これにより、吊下体５１は、吊下板５３の上板端側５３Ａを外容器本体２内に収納する。このとき、下側板高長Ｌ４を板突出量Ｌ５より長くすることで、吊下体５１は、板収納位置Ｐ３において、外容器本体２の外側に突出した吊下板５３の上板端側５３Ａ（吊下板５３の全体）を外容器本体２内に収納できる。
板収納位置Ｐ３において、内容器２１の下端案内側板２７は、吊下体５１の下端出入口１０側への移動に伴って、各蓋支持板１３に当接して、下端出入口１０を閉じた下蓋板４に支持（保持）される。
【００５４】
吊下板５３の上板端側５３Ａの押入を解放（解除）すると、板収納位置Ｐ３に配置された吊下体５１は、湾曲変形した各下側舌片板の復元力（付勢力／弾性力）により、外容器本体２の上端出入口９側（上蓋板３側）に移動され、収納初期位置Ｐ１に配置（復帰）される。
なお、吊下体５１を板収納位置Ｐ３に配置した後、粘着シール等（図示しない）を上蓋板３及び外容器本体２にわって貼着して、出口隙間Ｔを閉塞する。これにより、湾曲変形した下側舌片板５８，５９の復元力により、吊下体５１が板収納位置Ｐ３から収納初期位置Ｐ１に復帰することを阻止する。
【００５５】
包装用容器Ｘでは、図３１に示すように、陳列する商品、例えば、携帯情報端末（スマートフォン等）の携帯端末用カバーＺを内容器２１の商品収納凹部２４に収納し、図１乃至図１２で説明したと同様に、携帯端末用カバーＺを収納した内容器２１及び吊下体５１（組合体Ｙ）を外容器本体２内（外容器１内）に収納して、吊下体５１を収納初期位置Ｐ１に配置する。上端出入口９を閉じた上蓋板３は、粘着シール等（図示しない）により外容器本体２の各透明側板７，８（外容器本体２）に固定される。下端出入口１０を閉じた下蓋板４は、粘着シール等（図示しない）により外容器本体２に固定される。
携帯端末用カバーＺを収納した包装用容器Ｘにおいて、吊下体５１を収納初期位置Ｐ１から吊下位置Ｐ３に配置して、吊下板５３の吊下穴６０を吊下フックＦに掛けて吊下げ、携帯端末用カバーＺを陳列する（図３１参照）。
包装用容器Ｘ内に収納された携帯端末用カバーＺは、吊下体５１に遮られることなく、外容器本体２の透明表面板５を通して見ることができる。
また、携帯端末用カバーＺを収納した包装用容器Ｘを運搬（搬送）する際には、図２７乃至図３０で説明したと同様、吊下体５１を収納初期位置Ｐ１から板収納位置Ｐ３に配置することで、吊下板５３の上板端側５３Ａ（吊下体５１の全体）を外容器本体２内に収納して運搬（搬送）する。
このとき、吊下体５１は、板収納位置Ｐ３に配置され、吊下板５３の上板端側５３Ａ（吊下体５１の全体）を外容器本体２内に収納するので、運搬中（搬送中）に、折れる等、損傷しない。
【００５６】
包装用容器Ｘでは、図３に示すように、外容器本体２の透明裏面板６に押出用補助穴６５を形成する構成も採用できる。
押出用補助穴６５は、図３に示すように、透明裏面板６に形成され、外容器本体２の内外側に開口する。押出用補助穴６５は、吊下体５１の収納初期位置Ｐ１において、外容器本体２内の吊下台板５２に対向する位置に形成される。押出補助用穴６５は、外容器本体２の上下方向ＵＤにおいて、上端出入口９及び下端出入口１０間に延在して形成される。
吊下体５１の収納初期位置Ｐ１において、人の指等を押出用補助穴６５の穴下端（下端出入口１０側）から外容器本体２内の吊下台板５２に接して、吊下台板５２を押出用補助穴６５に沿って上端出入口９側に押上げることで、吊下板５３を出入隙間Ｔから外容器本体２の外側に押出すことができる。
これにより、外容器本体２の外側に押出した吊下板５３を把持して、上方向に引上げることで、吊下体５１を収納初期位置Ｐ１から吊下位置Ｐ２に配置できる。
【００５７】
包装用容器Ｘでは、内容器２１及び吊下体５１を透明にする必要はなく、有色の不透明又は半透明の合成樹脂等で形成しても良い。
【産業上の利用可能性】
【００５８】
本考案は、商品を収納するのに最適である。
【符号の説明】
【００５９】
Ｘ  包装用容器
１  外容器
２  外容器本体
３  上蓋板
４  下蓋板
５  透明表面板
６  透明裏面板
７  透明側面板
８  透明側面板
９  上端出入口
１０  下端出入口
２１  内容器
２２  内面板
２３  案内枠板
２４  商品収納凹部
２５  商品収納穴
２６  上端案内側板
２７  下端案内側板
２８  左端案内側板
２９  右端案内側板
３４  案内凹溝
５１  吊下体
５２  吊下台板
５３  吊下板
５４  ガイド側板（左端・ガイド側板）
５５  ガイド側板（右端・ガイド側板）
５６  上側舌片板（左端・上側舌片板）
５７  上側舌片板（右端・上側舌片板）
５８  下側舌片板（左端・下側舌片板）
５９  下側舌片板（右端・下側舌片板）
６０  吊下板
【図１】
0003206255.tif 000003
【図２】
0003206255.tif 000004
【図３】
0003206255.tif 000005
【図４】
0003206255.tif 000006
【図５】
0003206255.tif 000007
【図６】
0003206255.tif 000008
【図７】
0003206255.tif 000009
【図８】
0003206255.tif 000010
【図９】
0003206255.tif 000011
【図１０】
0003206255.tif 000012
【図１１】
0003206255.tif 000013
【図１２】
0003206255.tif 000014
【図１３】
0003206255.tif 000015
【図１４】
0003206255.tif 000016
【図１５】
0003206255.tif 000017
【図１６】
0003206255.tif 000018
【図１７】
0003206255.tif 000019
【図１８】
0003206255.tif 000020
【図１９】
0003206255.tif 000021
【図２０】
0003206255.tif 000022
【図２１】
0003206255.tif 000023
【図２２】
0003206255.tif 000024
【図２３】
0003206255.tif 000025
【図２４】
0003206255.tif 000026
【図２５】
0003206255.tif 000027
【図２６】
0003206255.tif 000028
【図２７】
0003206255.tif 000029
【図２８】
0003206255.tif 000030
【図２９】
0003206255.tif 000031
【図３０】
0003206255.tif 000032
【図３１】
0003206255.tif 000033